(57)【要約】  【課題】  通常のデータ処理に加えて、記憶している画像データを無効化する処理を有償のサービスとして提供するデータ処理装置を提供する。  【解決手段】  市中に設置された複写装置であるデータ処理装置１は、取得した画像データを記憶部１４に記憶し、画像の複写およびファクシミリ送信などの画像データの処理を行った後で、画像データを消去する等して記憶部１４が記憶している画像データを無効化し、画像データの処理に対する第１課金の処理に加えて画像データの無効化に対する第２課金の処理を行う。更に、データ処理装置１は、画像データを無効化したことを示す証明書を出力する。使用者は、画像データが無効化されたことを確認することができるので、情報のセキュリティの面で安心してデータ処理装置１を利用することができる。【選択図】        図１
2005167621.tif 000002
【特許請求の範囲】
【請求項１】
データを受け付ける受付手段と、該受付手段が受け付けたデータを記憶する記憶手段と、該記憶手段が記憶したデータの処理を行う処理手段と、前記記憶手段が記憶しているデータの無効化を行う無効化手段と、前記処理手段によるデータの処理に対する課金を行う第１課金手段とを備えるデータ処理装置において、
前記無効化手段によるデータの無効化に対する課金を行う第２課金手段を備えることを特徴とするデータ処理装置。
【請求項２】
前記無効化手段によるデータの無効化を行うべきか否かの選択を受け付ける手段を更に備えることを特徴とする請求項１に記載のデータ処理装置。
【請求項３】
前記無効化手段は、前記処理手段によるデータの処理に係る情報をも前記データと共に無効化すべくなしてあることを特徴とする請求項１又は２に記載のデータ処理装置。
【請求項４】
前記無効化手段によるデータの無効化を証明する証明書を出力する手段を更に備えることを特徴とする請求項１乃至３のいずれかひとつに記載のデータ処理装置。
【請求項５】
データ又は暗号化されたデータを受け付ける受付手段と、該受付手段が受け付けたデータを暗号化する暗号化手段と、暗号化されたデータを記憶する記憶手段と、暗号化されたデータを復号する復号手段と、データ又は暗号化されたデータの処理を行う処理手段とを備えるデータ処理装置において、
前記データ又は暗号化されたデータの処理に対する課金を行う第１課金手段と、
前記暗号化手段による暗号化及び／又は前記復号手段による復号に対する課金を行う第２課金手段と
を備えることを特徴とするデータ処理装置。
【請求項６】
前記暗号化手段によるデータの暗号化、及び／又は暗号化されたデータの前記復号手段による復号を行うべきか否かの選択を受け付ける手段を更に備えることを特徴とする請求項５に記載のデータ処理装置。
【請求項７】
前記暗号化手段によるデータの暗号化を証明する証明書を出力する手段を更に備えることを特徴とする請求項５又は６のいずれかひとつに記載のデータ処理装置。
【請求項８】
データを受け付ける受付手段と、該受付手段が受け付けたデータを記憶する記憶手段と、該記憶手段が記憶したデータの処理を行う処理手段とを備えるデータ処理装置において、
データの保護を指示する情報を受け付ける手段と、
該手段が前記情報を受け付けた場合に、前記情報に係るデータを保護する手段と
を備えることを特徴とするデータ処理装置。
【発明の詳細な説明】
【技術分野】
【０００１】
本発明は、画像データを記憶して処理し、処理した後の画像データを無効化するデータ処理装置に関する。
【背景技術】
【０００２】
現在、複写装置は、コンビニエンスストア、文房具店、又はスーパーマーケット等、市中の不特定多数の場所に設置されており、一般の多数の使用者が原稿を持ち込んで気軽に複写を行うことができるようになっている。近年の複写装置は、デジタル化が進んでおり、原稿に記録された画像を走査して画像データとして取り込み、取り込んだ画像データに基づいて画像を形成して記録用紙に記録するコピー機能に加えて、通信回線を介して画像データを他の装置へ送信するファクシミリ機能、画像データを外部から受信して画像を記録するプリンタ機能など、複数の機能を備える機能複合型の複写装置が実用化されている。このため、コピーのサービスに加えて、ファクシミリのサービス又は使用者が持ち込んだデータを出力するプリントのサービスが、市中の複写装置を利用して実現されている。また、デジタル化と同様にカラー化も進んでおり、カラーコピーを行うことができる複写装置が、市中に設置されるようになっている。
【０００３】
更に、インターネット等の広域の通信ネットワークに複写装置が接続され、複写装置が、使用者のパーソナルコンピュータ（ＰＣ）又はサーバ装置などから通信ネットワークを介して画像データを取得し、取得した画像データを処理するサービスが開発されている。このサービスを利用することで、取引先を訪問するために移動するビジネスマン等のような居場所が不特定である使用者が、市中の複写装置を利用して取引書類などの記録物を必要なときに取得することができるようになる。
【０００４】
ところで、デジタル化された複写装置は、デジタル化された画像データを処理するために、画像を操作して読み取った画像データを一時的に記憶するハードディスク又は半導体メモリ等の記憶手段を備えている。記憶手段に記憶された画像データは、使用者から入力された指示に従って、出力またはファクシミリ通信による送信などの処理が行われる。
【０００５】
市中に設けられた複写装置を利用した際の精算方法については、いくつかの精算方法が提案されている。特許文献１には、メモリカードを着脱可能に装着する手段を備え、処理を行った分の情報がメモリカードに記録され、メモリカードに記録された情報に基づいてレジにて精算を行う複写装置が開示されている。また、特許文献２では、料金徴収装置を備え、使用者が料金徴収装置に金銭を予め投入しておいた場合に処理量に応じた金額が金銭から減算されていく複写装置が開示されている。
【特許文献１】特開昭６３−６５７５号公報
【特許文献２】特開平６−４７６６号公報
【発明の開示】
【発明が解決しようとする課題】
【０００６】
複写装置の記憶手段に記憶されている画像データは、次の使用者が次の原稿を読み込ませる又は他の画像データを取得させた場合に記憶手段が新たな画像データを記憶するときに上書きされて無効化されるようになっている。また、複写装置の電源が遮断される際、又は電源が遮断されていた複写装置が起動する際に、記憶手段が記憶している内容が消去される複写装置もある。しかし、２４時間営業の店舗に設置されている複写装置、又は電源が遮断されない複写装置などでは、新たな画像データによって上書きされるまで過去の画像データは記憶手段に記憶されたままになっている。
【０００７】
市中の複写装置で使用者が複写する原稿、又は複写装置が取得するデータには、個人情報または企業秘密を記載した文書などの機密性を有する情報が含まれる場合がある。機密性を有する情報が含まれた画像データが複写装置の記憶手段に長時間記憶されている状態は、情報のセキュリティの面で好ましくない状態である。複写装置に記憶された情報がどのように扱われるかを使用者が確認することは困難であるため、使用者は複写装置の使用に不安を覚える可能性がある。
【０００８】
本発明は、斯かる事情に鑑みてなされたものであって、その目的とするところは、画像の複写およびファクシミリ送信などの通常のデータ処理に加えて、記憶手段に記憶している画像データを無効化する処理を有償のサービスとして提供するデータ処理装置を提供することにある。
【課題を解決するための手段】
【０００９】
本発明に係るデータ処理装置は、データを受け付ける受付手段と、該受付手段が受け付けたデータを記憶する記憶手段と、該記憶手段が記憶したデータの処理を行う処理手段と、前記記憶手段が記憶しているデータの無効化を行う無効化手段と、前記処理手段によるデータの処理に対する課金を行う第１課金手段とを備えるデータ処理装置において、前記無効化手段によるデータの無効化に対する課金を行う第２課金手段を備えることを特徴とする。
【００１０】
本発明においては、データを受け付けて記憶し、記憶したデータの処理を行い、処理後のデータを消去する又は他のデータを上書きするなどして無効化するデータ処理装置は、データの処理に対する課金を行う第１課金の処理と、データの無効化に対する課金を行う第２課金の処理とを行う。
【００１１】
本発明に係るデータ処理装置は、前記無効化手段によるデータの無効化を行うべきか否かの選択を受け付ける手段を更に備えることを特徴とする。
【００１２】
また、本発明においては、データ処理装置は、データを無効化すべきか否かの選択を受け付ける。
【００１３】
本発明に係るデータ処理装置は、前記無効化手段は、前記処理手段によるデータの処理に係る情報をも前記データと共に無効化すべくなしてあることを特徴とする。
【００１４】
また、本発明においては、データの処理が画像の出力であった場合での出力枚数などの、データの処理に係る情報をも無効化する。
【００１５】
本発明に係るデータ処理装置は、前記無効化手段によるデータの無効化を証明する証明書を出力する手段を更に備えることを特徴とする。
【００１６】
更に、本発明においては、データの処理に際してデータが無効化されたことを証明する証明書を出力する。
【００１７】
本発明に係るデータ処理装置は、データ又は暗号化されたデータを受け付ける受付手段と、該受付手段が受け付けたデータを暗号化する暗号化手段と、暗号化されたデータを記憶する記憶手段と、暗号化されたデータを復号する復号手段と、データ又は暗号化されたデータの処理を行う処理手段とを備えるデータ処理装置において、前記データ又は暗号化されたデータの処理に対する課金を行う第１課金手段と、前記暗号化手段による暗号化及び／又は前記復号手段による復号に対する課金を行う第２課金手段とを備えることを特徴とする。
【００１８】
本発明においては、データを暗号化する手段と、データを復号する手段と、データ又は暗号化されたデータを記憶する手段と、データ又は暗号化されたデータを処理する手段とを備えるデータ処理装置は、データ又は暗号化されたデータの処理に対する課金を行う第１課金の処理と、データの暗号化及び／又は暗号化されたデータの復号に対する課金を行う第２課金の処理とを行う。
【００１９】
本発明に係るデータ処理装置は、前記暗号化手段によるデータの暗号化、及び／又は暗号化されたデータの前記復号手段による復号を行うべきか否かの選択を受け付ける手段を更に備えることを特徴とする。
【００２０】
また、本発明においては、データの暗号化及び／又はデータの復号を行うべきか否かの選択を受け付ける。
【００２１】
本発明に係るデータ処理装置は、前記暗号化手段によるデータの暗号化を証明する証明書を出力する手段を更に備えることを特徴とする。
【００２２】
更に、本発明においては、データが暗号化されて処理されたことを証明する証明書を出力する。
【００２３】
本発明に係るデータ処理装置は、データを受け付ける受付手段と、該受付手段が受け付けたデータを記憶する記憶手段と、該記憶手段が記憶したデータの処理を行う処理手段とを備えるデータ処理装置において、データの保護を指示する情報を受け付ける手段と、該手段が前記情報を受け付けた場合に、前記情報に係るデータを保護する手段とを備えることを特徴とする。
【００２４】
本発明においては、データを受け付けて記憶し、記憶したデータの処理を行うデータ処理装置は、データの保護を指示する情報を受け付け可能であり、この情報を受け付けた場合に暗号化または無効化によりデータを保護する。
【発明の効果】
【００２５】
本発明においては、受け付けて記憶したデータを処理した後で、データを消去するなどして記憶している画像データを無効化し、更に、データの処理に対する第１課金の処理に加えてデータの無効化に対する第２課金の処理を行うことにより、データを無効化する機能をより充実させることができる。また、使用者は、個人情報または企業秘密などの機密性のある情報を含むデータを安心して処理させることができる。
【００２６】
また、本発明においては、画像データの無効化を行うべきか否かの選択を使用者から受け付けることにより、使用者は、必要なときにのみ無効化の処理を利用することができるので、無駄な出費を避けることができる。
【００２７】
また、本発明においては、データの処理が画像の出力であった場合での出力枚数などの、データの処理に係る情報にも機密性のある情報が含まれているので、このデータの処理に係る情報をも無効化することにより、使用者はより安心してデータを処理させることができる。
【００２８】
更に、本発明においては、画像データを無効化したことを示す証明書を出力することにより、使用者は、画像データが無効化されたことを確認することができるので、より安心してデータ処理装置を利用することができる。
【００２９】
本発明においては、データの処理に加えてデータの暗号化および復号を行い、データの処理に対する第１課金の処理に加えてデータの暗号化および復号に対する第２課金の処理を行うことにより、データ処理装置の内部に記憶される画像データは暗号化され、使用者は、機密性のある情報を含むデータを安心して処理させることができる。また、データを受け付けて暗号化する処理、及び暗号化データを受け付けて復号する処理を行うことができるため、使用者は、暗号化データを外部から受信して復号されたデータを取得する、又はデータを暗号化して外部へ送信する等、データを暗号化によって保護しながらデータを活用することが可能となる。
【００３０】
また、本発明においては、画像データの暗号化を行うべきか否かの選択を使用者から受け付けることにより、使用者は、必要なときにのみ暗号化の処理を利用することができるので、無駄な出費を避けることができる。
【００３１】
更に、本発明においては、画像データを暗号化して処理したことを示す証明書を出力することにより、使用者は、画像データが暗号化されたことを確認することができるので、より安心してデータ処理装置を利用することができる。
【００３２】
本発明においては、データと共にデータの保護の要否を示す保護情報を受け付け、保護情報がデータの保護を指示している場合に、無効化などによりデータを保護することにより、データの重要性に応じたデータの保護を行うことが可能となり、使用者は、安心してデータ処理装置を利用することができる。また、大量のデータを利用する使用者は、データの保護の要否を予め定めておくことで、データの内容に応じて情報のセキュリティを管理することができる等、本発明は優れた効果を奏する。
【発明を実施するための最良の形態】
【００３３】
以下本発明をその実施の形態を示す図面に基づき具体的に説明する。
（実施の形態１）
図１は、本発明のデータ処理装置の内部の構成を示す機能ブロック図である。データ処理装置１は、複写装置であり、市中に存在するコンビニエンスストア、文房具店、又はスーパーマーケット等の店舗に設置されている。データ処理装置１は、演算を行うＣＰＵ及び演算に伴う一時的な情報を記憶するＲＡＭ等からなる制御部１１を備えている。制御部１１には、データ処理装置１の制御を行うための制御プログラムを記憶しているＲＯＭ１７が接続されている。制御部１１は、ＲＯＭ１７が記憶している制御プログラムに従って、データ処理装置１全体の制御を行い、本発明に係る処理手段として機能する。また、制御部１１には、データ処理装置１が行う処理を管理するための管理情報を記憶するメモリである管理部１８が接続されており、制御部１１は、管理部１８が記憶している管理情報を参照し、参照した情報に基づいてデータ処理装置１を制御する。
【００３４】
また、制御部１１には、原稿の画像を走査して読み取って電子的な画像データを生成する画像読み取り部１２と、画像形成部１６とが接続されている。画像形成部１６は、画像データを一時的に記憶する画像メモリ１６１を内部に備え、画像メモリ１６１が記憶している画像データから画像を形成し、形成した画像を記録用紙に記録して出力する。データ処理装置１は、画像読み取り部１２にて原稿を読み取って画像データを生成し、生成した画像データを画像メモリ１６１に記憶し、記憶した画像データから画像形成部１６にて画像を形成して出力することによって、原稿を複写する複写装置として機能する。
【００３５】
また、制御部１１には、ハードディスク又は不揮発性のメモリからなる記憶部１４が接続されている。記憶部１４は、データ処理装置１が処理する画像データを記憶する。また、制御部１１には、使用者からの操作を受け付ける操作部１３が接続されている。操作部１３は、操作のために必要な情報を表示する液晶パネル等の表示手段と、使用者の操作により制御命令などの情報が入力されるタッチパネル又はテンキー等の入力手段とからなっている。
【００３６】
また、制御部１１には、ファクシミリ通信を行うモデム部１５１が接続されている。モデム部１５１は公衆回線網Ｎ２に接続されている。公衆回線網Ｎ２には、外部のファクシミリ装置３，３，…が接続されている。データ処理装置１は、モデム部１５１に接続された公衆回線網Ｎ２を介して、画像読み取り部１２が原稿を読みとって生成した画像データを、公衆回線網Ｎ２に接続された他のファクシミリ装置３へファクシミリ通信にて送信することができる。また、ファクシミリ装置３からファクシミリ通信で送信された画像データを、公衆回線網Ｎ２を介してモデム部１５１にて受信し、画像形成部１６はモデム部１５１が受信した画像データから画像を形成して出力することができる。このようにして、複写装置であるデータ処理装置１は、ファクシミリ装置の機能を備えている。
【００３７】
また、制御部１１には、インターネット等の外部の通信ネットワークＮ１に接続された通信部１５２が接続されている。通信ネットワークＮ１には、サーバ装置またはパーソナルコンピュータ（ＰＣ）等の情報処理装置２，２，…、及びファクシミリ装置４，４，…が接続されている。通信部１５は、電子メールに画像データを添付する等して、画像読み取り部１２にて生成した画像データを、通信ネットワークＮ１を介して情報処理装置２又はファクシミリ装置４へ送信することができる。また、使用者の操作により、情報処理装置２又はファクシミリ装置４を指定する情報を操作部１３にて受け付け、通信部１５は、操作部１３が受け付けた情報が指定する情報処理装置２又はファクシミリ装置４から通信ネットワークＮ１を介して画像データを受信することができる。通信部１５が受信した画像データは、画像形成部１６が画像として出力することができる。
【００３８】
また、制御部１１には、他の機器が接続可能なインタフェース部１５３が接続されている。使用者のＰＣ又はメモリカード等の機器が接続された場合に、データ処理装置１は、インタフェース部１５３を介してデータを読み込み、画像としての出力またはファクシミリ通信による送信などの処理を行うことができる。また、画像読み取り部１２が原稿を読み取って生成した画像データ等の画像データを、インタフェース部１５３を介して出力することができる。画像読み取り部１２、モデム部１５１、通信部１５２、及びインタフェース部１５３は、本発明に係る受付手段として機能する。
【００３９】
更に、データ処理装置１は、データ処理装置１が行う処理に課金される対価を徴収する徴収ユニット１０を備えており、徴収ユニット１０は制御部１１に接続されている。ＲＯＭ１７が記憶している制御プログラムには、データ処理装置１が行う処理に対する課金を行うためのプログラムが含まれている。また、徴収ユニット１０は、貨幣またはプリペイドカード等の有価物を受け付ける手段を備えている。制御部は、ＲＯＭ１７が記憶している制御プログラムに従って、徴収ユニット１０が受け付けている有価物に対してデータ処理装置１が行う処理の対価を課金し、徴収ユニット１０は課金された対価を有価物から徴収する。なお、徴収ユニット１０は、メモリカード等の記録媒体を受け付け、課金された対価の情報を記録媒体に記録する処理を行うものであってもよい。この場合は、記録媒体に記録された情報に基づいて、後で精算が行われる。また、データ処理装置１は、課金された対価の情報をデータ処理装置１の内部に記憶する、又は課金された対価の情報を通信部１５２が店舗のＰＯＳ端末などの情報処理装置２へ送信する等の方法により、有価物または記録媒体を用いずに課金の処理を行う形態であってもよい。
【００４０】
記憶部１４は、本発明に係る記憶手段であり、データ処理装置１が受け付けた画像データ、例えば原稿画像の読み取りにより画像読み取り部１２が生成した画像データ等を記憶する。制御部１１は、記憶部１４が記憶しているデータを対象として、画像として出力する等の処理を行う。データの処理が終了した後は、制御部１１は、ＲＯＭ１７が記憶している制御プログラムに従って、記憶部１４が記憶している画像データを消去する又は他のデータを上書きする等することにより、処理が終了した画像データを無効化する。このようにして、制御部１１は、本発明に係る無効化手段として機能する。
【００４１】
次に、本発明のデータ処理装置１が行う動作を、フローチャートを用いて説明する。図２は、データ処理装置１が行う画像データの処理の手順を示すフローチャートである。データ処理装置１の制御部１１は、使用者からの貨幣の投入もしくはプリペイドカードの挿入などの徴収ユニット１０での有価物の受け付け、又は操作部１３での使用者からの操作の受け付け等による、データ処理の開始指示の受付を監視している（Ｓ１０１）。制御部１１は、データ処理の開始指示の受付がなかった場合は（Ｓ１０１：ＮＯ）、データ処理の開始指示の受付の監視を続行する。制御部１１は、データ処理の開始指示を受け付けた場合は（Ｓ１０１：ＹＥＳ）、ＲＯＭ１７が記憶している制御プログラムに従って、画像データの処理後にその画像データを無効化する処理を有償で行うことができることを示した無効化の案内のメッセージを操作部１３の表示手段に出力する（Ｓ１０２）。
【００４２】
制御部１１は、次に、ＲＯＭ１７が記憶している制御プログラムに従って、処理後に画像データの無効化を希望するか否かの選択を促すメッセージを操作部１３の表示手段に出力して、画像データの無効化の要否の操作部１３での受付を監視する（Ｓ１０３）。制御部１１は、無効化の要否の受付がなかった場合は（Ｓ１０３：ＮＯ）、無効化の要否の受付の監視を続行する。制御部１１は、無効化の要否を受け付けた場合は（Ｓ１０３：ＹＥＳ）、画像読み取り部１２での画像の読み取り、又はモデム部１５１、通信部１５２、若しくはインタフェース部１５３での画像データの受付などによる、処理を行うべき画像データの受付の有無を監視し、また、画像の複写の指示またはファクシミリの送信の指示などの、画像データの処理指示の操作部１３での受付の有無を監視する（Ｓ１０４）。画像データ及び処理指示の受付がなかった場合は（Ｓ１０４：ＮＯ）、画像データ及び処理指示の受付の監視を続行する。
【００４３】
処理を行うべき画像データ及び画像データの処理指示を受け付けた場合は（Ｓ１０４：ＹＥＳ）、制御部１１は、受け付けた画像データを記憶部１４に記憶させる（Ｓ１０５）。制御部１１は、次に、ＲＯＭ１７が記憶している制御プログラムに従って、受け付けた処理指示に従った処理、例えば画像形成部１６での画像の出力、モデム部１５１でのファクシミリ通信による画像データの送信、通信部１５２での外部への画像データの送信、又はインタフェース部１５３を介した外部の機器への画像データの出力などを記憶部１４が記憶した画像データに対して行う（Ｓ１０６）。制御部１１は、次に、ＲＯＭ１７が記憶している制御プログラムに従って、ステップＳ１０３にて受け付けた画像データの無効化の要否の指示に応じて、画像データの無効化が必要であるか否かを判定する（Ｓ１０７）。
【００４４】
画像データの無効化が必要である場合は（Ｓ１０７：ＹＥＳ）、制御部１１は、記憶部１４が記憶している画像データを消去又は画像データに他のデータを上書きする等により、処理が終了した画像データを無効化する（Ｓ１０８）。このとき、制御部１１は、原稿の枚数、出力枚数、及びファクシミリ通信での送信先の情報などの、画像データの処理に係る情報をも無効化する。制御部１１は、次に、ステップＳ１０６にて行った画像データの処理に対する課金を行う第１課金の処理、及びステップＳ１０８にて行った画像データの無効化の処理に対する課金を行う第２課金の処理を行う（Ｓ１０９）。このとき、徴収ユニット１０が有価物から課金された対価を徴収する、又は制御部１１が課金された対価の情報を管理部１８に記憶する等の処理が行われる。制御部１１は、次に、画像データが無効化されたことを示す証明書を画像形成部１６にて記録担体に記録して出力し（Ｓ１１０）、処理を終了する。
【００４５】
図３は、画像データを無効化したことを示す証明書の例を示した模式図である。使用者がデータ処理装置１に受付させた画像データの内容が消去されたことを、データ処理装置１のメーカ又はデータ処理装置１の管理会社などが証明している。
【００４６】
ステップＳ１０７にて、画像データの無効化が必要でない場合は（Ｓ１０７：ＮＯ）、制御部１１は、ＲＯＭ１７が記憶している制御プログラムに従って、ステップＳ１０６にて行った画像データの処理に対する課金を行う第１課金の処理を行い（Ｓ１１１）、処理を終了する。
【００４７】
以上詳述した如く、本実施の形態に係るデータ処理装置１は、画像の出力などの画像データを処理した後で、画像データを消去するなどして記憶している画像データを無効化し、更に、画像データの処理に対する第１課金の処理に加えて画像データの無効化に対する第２課金の処理を行う。画像データの無効化の処理を有償で行うことにより、画像データを無効化する機能をより充実させることができる。また、使用者は、個人情報または企業秘密などの機密性のある情報を含む画像データを安心してデータ処理装置１に処理させることができる。また、原稿の枚数、出力枚数、及びファクシミリ通信での送信先の情報などの、画像データの処理に係る情報にも機密性のある情報が含まれており、本発明においては、これら画像データの処理に係る情報をも無効化するために、使用者はより安心して画像データをデータ処理装置１に処理させることができる。
【００４８】
また、本発明においては、画像データの無効化を行うべきか否かの選択を使用者の希望に応じて受け付けることにより、使用者は、必要なときにのみ無効化の処理を利用することができるので、無駄な出費を避けることができる。更に、本発明においては、画像データを無効化したことを示す証明書を出力することにより、使用者は、画像データが無効化されたことを確認することができるので、より安心してデータ処理装置１を利用することができる。
【００４９】
なお、本実施の形態においては、ＲＯＭ１７が記憶している制御プログラムに従って制御部１１が画像データを無効化する処理を行うことにより、制御部１１が本発明に係る無効化手段として機能する形態を示したが、本発明に係る無効化手段として、画像データを無効化する処理を行う専用のハードウェアを備えた形態であってもよい。
【００５０】
（実施の形態２）
実施の形態２においては、データ処理装置１は、画像データの暗号化の処理、及び暗号化された画像データの復号の処理を行い、暗号化及び復号の処理に対する課金の処理を行う。本実施の形態に係るデータ処理装置１の内部の構成は、実施の形態１と同様であるので、その説明を省略する。但し、ＲＯＭ１７が記憶している制御プログラムは、画像データを暗号化するためのプログラム、及び暗号化された画像データを復号するためのプログラムを含んでおり、制御部１１は、ＲＯＭ１７が記憶している制御プログラムに従って処理を行い、本発明に係る暗号化手段および復号手段として機能する。
【００５１】
図４は、実施の形態２に係るデータ処理装置１が行う画像データの処理の手順を示すフローチャートである。データ処理装置１の制御部１１は、データ処理の開始指示の受付を監視し（Ｓ２０１）、データ処理の開始指示の受付がなかった場合は（Ｓ２０１：ＮＯ）、データ処理の開始指示の受付の監視を続行する。制御部１１は、データ処理の開始指示を受け付けた場合は（Ｓ２０１：ＹＥＳ）、ＲＯＭ１７が記憶している制御プログラムに従って、処理のために受け付ける画像データを内部で暗号化して扱うことができることを示し、更に画像データの暗号化を希望するか否かの選択を促す暗号化の案内のメッセージを操作部１３の表示手段に出力する（Ｓ２０２）。
【００５２】
制御部１１は、次に、ＲＯＭ１７が記憶している制御プログラムに従って、ステップＳ２０２にて出力したメッセージに従った選択が、暗号化の指示であるか否かを判定する（Ｓ２０３）。選択が暗号化の指示であった場合は（Ｓ２０３：ＹＥＳ）、制御部１１は、ＲＯＭ１７が記憶している制御プログラムに従って、画像読み取り部１２での画像の読み取り、又はモデム部１５１、通信部１５２、若しくはインタフェース部１５３での画像データの受付などによる、処理を行うべき画像データの受付の有無を監視し、また、画像の複写の指示またはファクシミリの送信の指示などの、画像データの処理指示の操作部１３での受付の有無を監視する（Ｓ２０４）。画像データ及び処理指示の受付がなかった場合は（Ｓ２０４：ＮＯ）、画像データ及び処理指示の受付の監視を続行する。
【００５３】
処理を行うべき画像データ及び画像データの処理指示を受け付けた場合は（Ｓ２０４：ＹＥＳ）、制御部１１は、ＲＯＭ１７が記憶している制御プログラムに従って、受け付けた画像データを暗号化し（Ｓ２０５）、暗号化した画像データを記憶部１４に記憶させる（Ｓ２０６）。制御部１１は、次に、ＲＯＭ１７が記憶している制御プログラムに従って、暗号化した画像データを記憶部１４から読み出し（Ｓ２０７）、読み出した画像データを復号し（Ｓ２０８）、画像形成部１６での画像の出力、及びモデム部１５１でのファクシミリ通信による画像データの送信など、受け付けた処理指示に従った処理を、復号した画像データに対して行う（Ｓ２０９）。制御部１１は、次に、ＲＯＭ１７が記憶している制御プログラムに従って、画像データの処理に対する課金を行う第１課金の処理、及び画像データの暗号化の処理に対する課金を行う第２課金の処理を行う（Ｓ２１０）。制御部１１は、次に、ＲＯＭ１７が記憶している制御プログラムに従って、画像データが暗号化されて処理が行われたことを示す証明書を画像形成部１６にて記録担体に記録して出力し（Ｓ２１１）、処理を終了する。
【００５４】
図５は、画像データを暗号化したことを示す証明書の例を示した模式図である。使用者がデータ処理装置１に受け付けさせた画像データの内容は暗号化によって保護されていることを、データ処理装置１のメーカ又はデータ処理装置１の管理会社などが証明している。
【００５５】
ステップＳ２０３にて、選択が暗号化の指示であった場合は（Ｓ２０３：ＮＯ）、制御部１１は、ＲＯＭ１７が記憶している制御プログラムに従って、処理を行うべき画像データの受付、及び画像データの処理指示の操作部１３での受付を監視する（Ｓ２１２）。画像データ及び処理指示の受付がなかった場合は（Ｓ２１２：ＮＯ）、画像データ及び処理指示の受付の監視を続行する。
【００５６】
処理を行うべき画像データ及び画像データの処理指示を受け付けた場合は（Ｓ２１２：ＹＥＳ）、制御部１１は、ＲＯＭ１７が記憶している制御プログラムに従って、受け付けた画像データを記憶部１４に記憶させる（Ｓ２１３）。制御部１１は、次に、ＲＯＭ１７が記憶している制御プログラムに従って、画像データを記憶部１４から読み出し（Ｓ２１４）、受け付けた処理指示に従った画像データの処理を行う（Ｓ２１５）。制御部１１は、次に、ステップＳ２１５にて行った画像データの処理に対する課金を行う第１課金の処理を行い（Ｓ２１６）、処理を終了する。
【００５７】
なお、前述の処理においては、受け付けた画像データを暗号化して記憶部１４に記憶させることで画像データを保護する処理を用いているが、実施の形態１と同様に、記憶部１４が記憶している暗号化された画像データを消去する等して無効化する処理を更に行うことにより、画像データをより確実に保護する処理を用いてもよい。
【００５８】
以上の如く、本実施の形態に係るデータ処理装置１は、使用者から受け付けた画像データを暗号化してから記憶し、記憶している画像データを復号して処理し、更に、画像データの処理に対する第１課金の処理に加えて画像データの暗号化および復号に対する第２課金の処理を行う。データ処理装置１の内部に記憶される画像データは暗号化されているため、画像データが漏洩した場合でもその内容を知ることは困難である。従って、使用者は、個人情報または企業秘密などの機密性のある情報を含む画像データを安心してデータ処理装置１に処理させることができる。
【００５９】
また、本実施の形態に係るデータ処理装置１は、画像データの暗号化を行うべきか否かの選択を使用者の希望に応じて受け付けることにより、使用者は、必要なときにのみ暗号化の処理を利用することができるので、無駄な出費を避けることができる。更に、本発明においては、画像データを暗号化して処理したことを示す証明書を出力することにより、使用者は、画像データが暗号化されたことを確認することができるので、より安心してデータ処理装置１を利用することができる。
【００６０】
更に、本実施の形態に係るデータ処理装置１は、データを受け付けて暗号化する処理、及び暗号化データを受け付けて復号する処理を行うことができる。図６は、実施の形態２に係るデータ処理装置１が行うデータを暗号化して出力する処理の手順を示すフローチャートである。データ処理装置１の制御部１１は、使用者が徴収ユニット１０に貨幣またはプリペイドカード等の有価物を受け付けさせて操作部１３の「データ暗号化」のボタンを押す等による、データの暗号化処理の開始指示の受付を監視している（Ｓ３１）。制御部１１は、データの暗号化処理の開始指示の受付がなかった場合は（Ｓ３１：ＮＯ）、暗号化処理の開始指示の受付の監視を続行する。制御部１１は、データの暗号化処理の開始指示を受け付けた場合は（Ｓ３１：ＹＥＳ）、ＲＯＭ１７が記憶している制御プログラムに従って、画像読み取り部１２での画像の読み取り、公衆回線網Ｎ２を介して送信されたデータのモデム部１５１での受信、通信ネットワークＮ１を介して送信されたデータの通信部１５２での受信、及びインタフェース部１５３でのデータの受付などによる、画像データ又はテキストデータ等の暗号化すべきデータの受付の有無を監視し、また、情報処理装置２への暗号化データの送信などの暗号化データの出力指示の操作部１３での受付の有無を監視する（Ｓ３２）。データ及び出力指示の受付がなかった場合は（Ｓ３２：ＮＯ）、データ及び出力指示の受付の監視を続行する。
【００６１】
暗号化すべきデータ及び暗号化データの出力指示を受け付けた場合は（Ｓ３２：ＹＥＳ）、制御部１１は、ＲＯＭ１７が記憶している制御プログラムに従って、受け付けたデータを暗号化し（Ｓ３３）、暗号化したデータ（以下、暗号化データという）を記憶部１４に記憶させる（Ｓ３４）。制御部１１は、次に、ＲＯＭ１７が記憶している制御プログラムに従って、暗号化データを記憶部１４から読み出し（Ｓ３５）、モデム部１５１から公衆回線網Ｎ２を介してファクシミリ装置３への暗号化データの送信、通信部１５２から通信ネットワークＮ１を介して情報処理装置２若しくはファクシミリ装置４への暗号化データの送信、又はインタフェース部１５３に接続された機器への暗号化データの出力などによる、ステップＳ３２にて受け付けた出力指示に従った暗号化データの出力の処理を行う（Ｓ３６）。制御部１１は、次に、ＲＯＭ１７が記憶している制御プログラムに従って、暗号化データの出力に対する課金を行う第１課金の処理、及びデータの暗号化の処理に対する課金を行う第２課金の処理を行い（Ｓ３７）、処理を終了する。
【００６２】
図７は、実施の形態２に係るデータ処理装置１が行う暗号化データを復号して出力する処理の手順を示すフローチャートである。データ処理装置１の制御部１１は、使用者が徴収ユニット１０に貨幣またはプリペイドカード等の有価物を受け付けさせて操作部１３の「データ復号」のボタンを押す等による、データの復号処理の開始指示の受付を監視している（Ｓ４１）。制御部１１は、データの復号処理の開始指示の受付がなかった場合は（Ｓ４１：ＮＯ）、復号処理の開始指示の受付の監視を続行する。制御部１１は、データの復号処理の開始指示を受け付けた場合は（Ｓ４１：ＹＥＳ）、ＲＯＭ１７が記憶している制御プログラムに従って、公衆回線網Ｎ２を介して送信された暗号化データのモデム部１５１での受信、通信ネットワークＮ１を介して送信された暗号化データの通信部１５２での受信、及びインタフェース部１５３での暗号化データの受付などによる、暗号化データの受付の有無を監視し、また、画像として出力する等のデータの出力指示の操作部１３での受付の有無を監視する（Ｓ４２）。暗号化データ及び出力指示の受付がなかった場合は（Ｓ４２：ＮＯ）、暗号化データ及び出力指示の受付の監視を続行する。
【００６３】
暗号化データ及びデータの出力指示を受け付けた場合は（Ｓ４２：ＹＥＳ）、制御部１１は、ＲＯＭ１７が記憶している制御プログラムに従って、受け付けた暗号化データを記憶部１４に記憶させる（Ｓ４３）。制御部１１は、次に、ＲＯＭ１７が記憶している制御プログラムに従って、暗号化データを記憶部１４から読み出し（Ｓ４４）、読み出した暗号化データを復号する（Ｓ４５）。制御部１１は、次に、ＲＯＭ１７が記憶している制御プログラムに従って、画像形成部１６での画像の出力、モデム部１５１からのファクシミリ送信、通信部１５２から通信ネットワークＮ１を介して情報処理装置２若しくはファクシミリ装置４へのデータの送信、又はインタフェース部１５３に接続された機器へのデータの出力などによる、復号されたデータのステップＳ４２にて受け付けた出力指示に従った出力の処理を行う（Ｓ４６）。制御部１１は、次に、ＲＯＭ１７が記憶している制御プログラムに従って、データの出力に対する課金を行う第１課金の処理、及び暗号化データの復号の処理に対する課金を行う第２課金の処理を行い（Ｓ４７）、処理を終了する。なお、以上の処理において、受け付けた暗号化データを復号するための復号鍵を受け付ける処理を更に含んだ処理を行ってもよい。
【００６４】
以上の如く、本実施の形態に係るデータ処理装置１は、データを受け付けて暗号化する処理、及び暗号化データを受け付けて復号する処理を行うことができるため、使用者は、暗号化データを外部から受信して復号されたデータを取得する、又はデータを暗号化して外部へ送信する等、データを暗号化によって保護しながらデータを活用することが可能となる。
【００６５】
なお、本実施の形態においては、ＲＯＭ１７が記憶している制御プログラムに従って制御部１１がデータの暗号化および復号の処理を行うことにより、制御部１１が本発明に係る暗号化手段および復号手段として機能する形態を示したが、本発明に係る暗号化手段または復号手段として、画像データの暗号化または復号の処理を行う専用のハードウェアを備えた形態であってもよい。
【００６６】
（実施の形態３）
実施の形態３においては、データ処理装置１は、画像データと共に画像データの保護に係る保護指示を受け付け、受け付けた保護指示に従った処理を行う。本実施の形態に係るデータ処理装置１の内部の構成は、実施の形態１と同様であるので、その説明を省略する。但し、ＲＯＭ１７が記憶している制御プログラムは、暗号化または無効化などによって画像データを保護するためのプログラムを含んでいる。
【００６７】
図８は、実施の形態３に係るデータ処理装置１が行う処理の手順を示すフローチャートである。データ処理装置１の制御部１１は、操作部１３での使用者からの操作の受け付け等による、データ処理の開始指示の受付を監視している（Ｓ５０１）。制御部１１は、データ処理の開始指示の受付がなかった場合は（Ｓ５０１：ＮＯ）、データ処理の開始指示の受付の監視を続行する。制御部１１は、データ処理の開始指示を受け付けた場合は（Ｓ５０１：ＹＥＳ）、ＲＯＭ１７が記憶している制御プログラムに従って、通信ネットワークＮ１を介して情報処理装置２から送信された画像データの通信部１５２での受信、及びインタフェース部１５３でのデータの受付などによる、処理すべき画像データの受付、及び画像データを無効化によって保護する必要があるか否かを指示した保護情報の受付の有無を監視する（Ｓ５０２）。画像データ及び保護情報の受付がなかった場合は（Ｓ５０２：ＮＯ）、画像データ及び保護情報の受付の監視を続行する。
【００６８】
画像データ及び保護情報を受け付けた場合は（Ｓ５０２：ＹＥＳ）、制御部１１は、ＲＯＭ１７が記憶している制御プログラムに従って、画像として出力する等の画像データの処理指示の操作部１３での受付の有無を監視する（Ｓ５０３）。画像データの処理指示の受付がなかった場合は（Ｓ５０３：ＮＯ）、制御部１１は、処理指示の受付の管理を続行する。画像データの処理指示を受け付けた場合は（Ｓ５０３：ＹＥＳ）、制御部１１は、ＲＯＭ１７が記憶している制御プログラムに従って、受け付けた画像データを記憶部１４に記憶させる（Ｓ５０４）。制御部１１は、次に、ＲＯＭ１７が記憶している制御プログラムに従って、画像形成部１６での画像の出力、又はモデム部１５１でのファクシミリ通信による画像データの送信など、受け付けた処理指示に従った処理を記憶部１４が記憶した画像データに対して行う（Ｓ５０５）。制御部１１は、次に、ＲＯＭ１７が記憶している制御プログラムに従って、ステップＳ５０２にて受け付けた保護情報に応じて、画像データの無効化が必要であるか否かを判定する（Ｓ５０６）。
【００６９】
画像データの無効化が必要である場合は（Ｓ５０６：ＹＥＳ）、制御部１１は、記憶部１４が記憶している画像データを消去又は画像データに他のデータを上書きする等により、処理が終了した画像データを無効化する（Ｓ５０７）。このとき、制御部１１は、原稿の枚数、出力枚数、及びファクシミリ通信での送信先の情報などの、画像データの処理に係る情報をも無効化する。制御部１１は、次に、ＲＯＭ１７が記憶している制御プログラムに従って、画像データの処理に対する課金の処理を行う（Ｓ５０８）。このとき、徴収ユニット１０が受け付けている有価物から課金された対価を徴収する、制御部１１が課金された対価の情報を管理部１８に記憶する、又は画像データの送信元の情報処理装置２へ対価の情報を送信する等の処理が行われる。制御部１１は、次に、図３に示すごとき画像データが無効化されたことを示す証明書を画像形成部１６にて記録担体に記録して出力し（Ｓ５０９）、処理を終了する。なお、以上の処理において、受け付けた画像データを暗号化することによって画像データを保護する処理を行ってもよい。
【００７０】
画像データの無効化が必要ではなかった場合は（Ｓ５０６：ＮＯ）、制御部１１は、ＲＯＭ１７が記憶している制御プログラムに従って、画像データの処理に対する課金の処理を行い（Ｓ５１０）、処理を終了する。
【００７１】
以上詳述した如く、本実施の形態に係るデータ処理装置１は、データと共にデータの保護の要否を示す保護情報を受け付け、保護情報がデータの保護を指示している場合に、無効化などによりデータを保護する。データに応じて保護の要否が定められた保護情報をデータと共に受け付けることにより、データ処理装置１は、データの重要性に応じたデータの保護を行うことが可能となり、使用者は、安心してデータ処理装置１を利用することができる。また、一の企業に属する多数のビジネスマンが頻繁に市中のデータ処理装置１を利用して通信ネットワークＮ１を介してデータを取得する場合など、この企業のような大量のデータを利用する使用者は、データの保護の要否を予め定めておくことで、データの内容に応じて情報のセキュリティを管理することができる。
【００７２】
なお、本実施の形態においては、データと共に更に保護情報を受け付ける処理を行っているが、予め定められた送信元から送信されたデータを受け付けた場合、又は暗号化されたデータを受け付けた場合に、データの保護が必要であることを指示する保護情報を受け付けたとして、データを保護すべく処理を行う形態であってもよい。また、月極の料金で契約している企業などの情報処理装置２からデータを受信した場合など、特定の使用者からデータを受け付けた場合に、課金の処理を省略する形態であってもよい。
【図面の簡単な説明】
【００７３】
【図１】本発明のデータ処理装置の内部の構成を示す機能ブロック図である。
【図２】データ処理装置が行う画像データの処理の手順を示すフローチャートである。
【図３】画像データを無効化したことを示す証明書の例を示した模式図である。
【図４】実施の形態２に係るデータ処理装置が行う画像データの処理の手順を示すフローチャートである。
【図５】画像データを暗号化したことを示す証明書の例を示した模式図である。
【図６】実施の形態２に係るデータ処理装置が行うデータを暗号化して出力する処理の手順を示すフローチャートである。
【図７】実施の形態２に係るデータ処理装置が行う暗号化データを復号して出力する処理の手順を示すフローチャートである。
【図８】実施の形態３に係るデータ処理装置が行う処理の手順を示すフローチャートである。
【符号の説明】
【００７４】
１  データ処理装置
１１  制御部
１２  画像読み取り部
１３  操作部
１４  記憶部
１５１  モデム部
１５２  通信部
１５３  インタフェース部
１６  画像形成部
１７  ＲＯＭ
２  情報処理装置
３、４  ファクシミリ装置
Ｎ１  通信ネットワーク
Ｎ２  公衆回線網
【図１】
2005167621.tif 000003
【図２】
2005167621.tif 000004
【図３】
2005167621.tif 000005
【図４】
2005167621.tif 000006
【図５】
2005167621.tif 000007
【図６】
2005167621.tif 000008
【図７】
2005167621.tif 000009
【図８】
2005167621.tif 000010